(57)【要約】【課題】着け心地がよく、バストの型崩れを抑えるのに優れ、例えばナイトブラジャーやナイトキャミソールにも好適な下着の提供を目的とする。【解決手段】バストのアンダー部から左右の脇部を経由して背中側に向けて配設したサポート布と、前記サポート布の両側の脇部からバストのアッパー部に向けて配設した包囲布と、左右のバストの間であって上下方向に配設した中心布とを有することを特徴とする。【選択図】  図１
2020193400.tif 000002
【特許請求の範囲】
【請求項１】
バストのアンダー部から左右の脇部を経由して背中側に向けて配設したサポート布と、
前記サポート布の両側の脇部からバストのアッパー部に向けて配設した包囲布と、左右のバストの間であって上下方向に配設した中心布とを有することを特徴とする下着。
【請求項２】
前記中心布は両側の上端部と中央部の下端部からなる略Ｙ字形状であり、前記両側の上端部は前記包囲布に縫着してあり、前記下端部は前記サポート布のアンダー部に縫着してあることを特徴とする請求項２記載の下着。
【請求項３】
前記包囲布は前記サポート布のアンダー部との間にバストの開放部を有し、前記開放部側を覆う表布を有していることを特徴とする請求項１又は２記載の下着。
【請求項４】
前記サポート布のバストのアンダー部両側から背側に向けて周配置したベルト布を有し、
前記サポート布の背中側の背中部と前記ベルト布との間に開口部を有し、前記開口部側を覆う背布を有することを特徴とする請求項１又は２記載の下着。
【発明の詳細な説明】
【技術分野】
【０００１】
本発明は、ブラジャー，キャミソール等、女性がバストを保持するのに着用する下着に関し、特に就寝時に着用するにも適した下着に係る。
【背景技術】
【０００２】
女性が着用するブラジャーは、例えば特許文献１に開示するようにバストを下方から持ち上げ、中央部に寄せるタイプのものが提案されている。
しかし、このようなブラジャーは日中に身体が起きている状態を前提にしており、就寝時等にはバストを圧迫したり、型崩れする原因になり、寝心地がよくない。
【０００３】
特許文献２には、左右のカップ部を構成するカップ本体布のそれぞれ両側に位置する部分に伸縮性を有し、緊締力が強いネット状のパワーネットＮを配した就寝時のブラジャーを開示する。
これは、就寝時に横臥姿勢にした場合に、左右のバストが上下に重なるように近づくのを抑えたものであって、眠っている間に寝返りをうつ等の身体の動きに対応していないものであり、返ってストレスの原因になりかねない。
【先行技術文献】
【特許文献】
【０００４】
【特許文献１】特開２００９−２９３１７０号公報
【特許文献２】特開２０１２−１０７３６８号公報
【発明の概要】
【発明が解決しようとする課題】
【０００５】
本発明は、着け心地がよく、バストの型崩れを抑えるのに優れ、例えばナイトブラジャーやナイトキャミソールにも好適な下着の提供を目的とする。
【課題を解決するための手段】
【０００６】
本発明に係る下着は、バストのアンダー部から左右の脇部を経由して背中側に向けて配設したサポート布と、前記サポート布の両側の脇部からバストのアッパー部に向けて配設した包囲布と、左右のバストの間であって上下方向に配設した中心布とを有することを特徴とする。
ここでバストのアンダー部とは、バストの下側のおおむね腹部上部廻りをいい、バストのアッパー部とはおおむねデコルテの部分をいう。
【０００７】
身体を寝かせた状態にあっては、例えば仰向きの状態時にバストが左右外側に広がる状態になりやすく、寝返り等によりバストがいろいろな方向に動く力が働く。
そこで、本発明は、包囲布により胸回りを囲って脂肪を集め、揺れを防ぐように安定させつつ、サポート布によりバストのアンダー側から脇を経由して背中側に向かって引き上げる力を作用させることで、胸の前側のデコルテの部分を広く保つようにすることで、呼吸がしやすく、ストレスを軽減したものである。
また、中心布により左右のバストを中央側で引き上げるようにすることで、上記の包囲布による胸回りの脂肪を集める作用との相乗効果により、いろいろな寝姿勢に対してバストが安定しやすく、型崩れを抑えることができる。
【０００８】
本発明は、包囲布で胸回りの脂肪を集めるように囲いつつ、中心布で左右のバストを中央側で引き上げるようにするのが目的であり、中心布は上部側を包囲布側に直接又は間接的に縫着し、下部側をサポート布のアンダー部の中央部側に直接、又は間接的に縫着できるものであれば、特にその構造に制限はない。
例えば、中心布は両側の上端部と中央部の下端部からなる略Ｙ字形状であり、前記両側の上端部は前記包囲布に縫着してあり、前記下端部は前記サポート布のアンダー部に縫着してあってもよい。
【０００９】
本発明における上記のような構造をブラジャーやキャミソール等に適用する場合に必要に応じて、包囲布は前記サポート布のアンダー部との間にバストの開放部を有し、前記開放部側を覆う表布を有しているようにしてもよく、サポート布のバストのアンダー部両側から背側に向けて周配置したベルト布を有し、前記サポート布の背中側の背中部と前記ベルト布との間に開口部を有し、前記開口部側を覆う背布を有しているようにしてもよい。
また、包囲布の上部側とサポート布の背中側の背中部とを肩布や肩紐等にて繋ぐことができる。
【発明の効果】
【００１０】
本発明に係る下着は、サポート布にて胸の前側を広く保つことで、トップバストの位置が高くなり、呼吸がし易くなる。
その状態で包囲布と中心布にてバストを安定的に保持することができるので、着け心地がよくストレスを低減できるので、着用を就寝時に限定されるものではないが、ナイトブラジャーやナイトキャミソールに特に好適である。
【図面の簡単な説明】
【００１１】
【図１】本発明に係る下着をブラジャーに適用した外観例を示し、（ａ）は正面図、（ｂ）は側面図、（ｃ）は背面図を示す。
【図２】下着の表布と背布とを取り除いた状態の（ａ）は正面図、（ｂ）側面図、（ｃ）背面図をそれぞれ示す。
【図３】（ａ）は下着を表側から見た斜視図、（ｂ）は背面側から見た斜視図を示す。
【図４】（ａ）〜（ｆ）は下着に有する機能を説明するための図を示す。
【図５】サポート布，包囲布及び中心布の展開図を示す。
【図６】中心布の縫合例を示す。
【図７】本発明をキャミソールに適用した例を示し、（ａ）は表側斜視図、（ｂ）は背面側斜視図を示す。
【図８】（ａ）は表布を取り除いた状態を示し、（ｂ）は表布を有する状態を示す。
【図９】（ａ）は背布を取り除いた状態を示し、（ｂ）は背布を有する状態を示す。
【発明を実施するための形態】
【００１２】
本発明に係る下着の構造例を以下図に基づいて説明するが、本発明はこれに限定されない。
【００１３】
図１〜６は、ブラジャーに適用した例を示す。
図２に本発明に係る特徴的な構造を示すために、図１に示した外観図から表布１１と背布１２とを取り除いた状態を示す。
図２に示すように、本発明に係る下着は、サポート布１３，包囲布１４及び中心布１５が特徴的な構成要素である。
【００１４】
サポート布１３は、バストのアンダー側に位置するアンダー部１３ａから両側の脇部１３ｂを経由して、背中側に伸びた背中部１３ｃを有する。
左右の背中部１３ｃは、図２（ｃ）に示すように相互に縫合されている。
背中部１３ｃの左右上端から肩布部１３ｄを形成し、後述するフロント側の肩布１７と縫着してある。
包囲布１４は、バストのアッパー側のアッパー部１４ｂから両側の脇部に向けて側部１４ｃ，１４ｄを延在させた正面視で、略逆Ｕ字形状になっている。
包囲布１４の両側の側部をサポート布１３の脇部１３ｂにて縫合することで、フロント側にバストのトップ部が位置する開放部１４ａを形成してある。
中心布１５は、左右のバストの中央部側に位置し、下端部１５ａをサポート布１３のアンダー部１３ａと縫合し、両側の上端部１５ｂ，１５ｃを包囲布１４の上端部及び肩布１７の下端部と重ね合せ縫着した例になっていて、略Ｙ字形状に形成してある。
なお、包囲布１４の開放部１４ａ側と中心布１５との間（図２で点線で示した部分）は、単に重なっているだけで縫着はされていない。
【００１５】
図４にてサポート布１３、包囲布１４及び中心布１５の機能を説明する。
図４（ｂ）は、図４（ｃ）の状態から表布１１側を取り除いた状態を示し、図４（ｄ）は図４（ｆ）の状態から背布１２側を取り除いた状態を示す。
図４中、ａは生地を相互に縫合した部位を示し、ｂは布を重ね合せ縫着した部位を示す。
サポート布１３は、バストのアンダー側から図４（ｂ），（ｄ）に矢印で示すように前中心下側から脇を経由して背中に向かって引き上げるような力が作用し、これにより胸の前側が広げられ、トップバストの位置が高くなるようになるため、デコルテの部分が広く保たれる。
この際に、包囲布１４がバストのアッパー側からバストの側部を包み込むようにして、胸回りの脂肪を集めるので、トップバストの位置が高くなる。
この状態で、中心布１４が図４（ｂ）の矢印で示すように、左右のバストの中心側を下側から上側に向けて持ち上げるので、左右のバストが安定的に保持され、型崩れが起きにくくなる。
【００１６】
図５にサポート布１３，包囲布１４及び中心布１５を展開した状態を示し、中心布１５ａはその下部１５ａを中央部側に引き込むようにしつつ、サポート布１３のアンダー部１３ａとの縫着部１３ｅにて縫着してある。
このような縫着のねらいを図６にて説明する。
裁断した状態の中心布１５は、図６（ａ）に示すように下端部１５ｄは中心線１５ｅを中心にして、左右のコーナー部が下方に位置するように湾曲している。
これを図６（ｂ）に示すように中心側を引き寄せ、下端部１５ｄがベルト布１６と平行になるように縫合する。
すると、元の生地の２点鎖線で示したポイント１５ｆ，１５ｇ，１５ｈ，１５ｉが図６（ｂ）に実線で示した１１５ｆ，１１５ｇ，１１５ｈ，１１５ｉのように中心線１５ｅ側にずれるが、２点鎖線で示した元の位置に戻るように縫合することで、バストの周囲部Ｒがその膨らみに沿うように立体的になる。
【００１７】
図７〜９に本発明をキャミソールに適用した例を示す。
スカート部１８を有する以外は基本的にブラジャーと共通しているので、詳細な説明は省略するが、この場合も図８に示すように包囲布１４で胸回りの脂肪を集め、中心布１５にてバストの中央部を下から上側に持ち上げるように保持する。
また、サポート布１３は、前中心から背中側に引き上げるようにする。
【符号の説明】
【００１８】
１１      表布
１２      背布
１３      サポート布
１３ａ    アンダー部
１３ｂ    脇部
１３ｃ    背中部
１３ｄ    肩布部
１４      包囲布
１４ａ    開放部
１４ｂ    アッパー部
１４ｃ    側部
１５      中心布
１５ａ    下端部
１５ｂ    上端部
１５ｃ    上端部
１６      ベルト布
１７      肩布
【図１】
2020193400.tif 000003
【図２】
2020193400.tif 000004
【図３】
2020193400.tif 000005
【図４】
2020193400.tif 000006
【図５】
2020193400.tif 000007
【図６】
2020193400.tif 000008
【図７】
2020193400.tif 000009
【図８】
2020193400.tif 000010
【図９】
2020193400.tif 000011